(57)【要約】      （修正有）【課題】使用者に適合したポケットコイルマットレスを早期に提供することができるポケットコイルマットレスの製造方法を提案する。【解決手段】コイルスプリング群１１は、１以上のコイルスプリング２０から成る複数の組Ａ１〜Ａ５を含んでおり組Ａ１〜Ａ５のコイルスプリング２０の数を組Ａ１〜Ａ５ごとに設定する工程と、組Ａ１〜Ａ５ごとにコイルスプリング２０の硬さを設定する工程と、設定した硬さのコイルスプリング２０を鋼線から順次製造し、製造したコイルスプリング２０のそれぞれを布袋に収容して複数の布袋を接合することによりコイルスプリング群１１を自動的に生成する工程と、複数のコイルスプリング群１１を第２方向Ｄ２に並べて互いに連結することにより第１方向Ｄ１及び第２方向Ｄ２にコイルスプリング２０が配列されたコイルスプリング集合体１０を自動的に製造する工程と、を備える。【選択図】図２
2017202025.tif 000002
【特許請求の範囲】
【請求項１】
第１方向に並べられた複数のコイルスプリングから成る複数のコイルスプリング群が、前記第１方向に交差する第２方向に並べられて製造されるポケットコイルマットレスの製造方法であって、
前記コイルスプリング群は、少なくとも１以上の前記コイルスプリングから成る複数の組を含んでおり、前記組の前記コイルスプリングの数を前記組ごとに設定する工程と、
前記組ごとに前記コイルスプリングの硬さを設定する工程と、
設定した硬さの前記コイルスプリングを鋼線から製造し、製造した前記コイルスプリングのそれぞれを布袋に収容して複数の前記布袋を接合することにより、前記コイルスプリング群を自動的に生成する工程と、
複数の前記コイルスプリング群を第２方向に並べて互いに連結することにより、前記第１方向及び前記第２方向に前記コイルスプリングが配列されたコイルスプリング集合体を自動的に製造する工程と、
を備えるポケットコイルマットレスの製造方法。
【請求項２】
前記第１方向は前記ポケットコイルマットレスの長手方向であり、前記第２方向は前記ポケットコイルマットレスの幅方向である、
請求項１に記載のポケットコイルマットレスの製造方法。
【請求項３】
前記コイルスプリング群を自動的に生成する工程と、前記コイルスプリング集合体を自動的に製造する工程との少なくとも一部は並行して実行される、
請求項１又は２に記載のポケットコイルマットレスの製造方法。
【発明の詳細な説明】
【技術分野】
【０００１】
本発明は、コイルスプリングが収容された布袋が複数連結されて製造されるポケットコイルマットレスの製造方法に関する。
【背景技術】
【０００２】
従来からポケットコイルマットレスは知られており、ポケットコイルマットレスは複数のコイルスプリングの集合体を備えている。特開２００５−１３７６６３号公報には、２台のコイルスプリング製造装置を用いてポケットコイルマットレスを製造する技術が記載されている。
【０００３】
２台のコイルスプリング製造装置のうち、一方からは太いコイルスプリングが製造され、他方からは細いコイルスプリングが製造される。そして、製造したコイルスプリングのそれぞれは布袋に収容され、この布袋が格子状に連結されることによりポケットコイルマットレスが製造される。前述の公報では、太さが互いに異なる２種類のコイルスプリングをコンピュータ制御によって所望の位置に配置することにより、使用者の身体の測定結果に応じたマットレスの提供を図っている。
【先行技術文献】
【特許文献】
【０００４】
【特許文献１】特開２００５−１３７６６３号公報
【発明の概要】
【発明が解決しようとする課題】
【０００５】
前述の公報では、２台のコイルスプリング製造装置が必要であり、且つ太さが互いに異なる２種類の鋼線を用意しなければならないため、装置の操作等が煩雑であり製造の効率の点で改善の余地がある。また、前述の製造方法では、コイルスプリングの配列パターンを予め決定し、この配列パターンを２台のコイルスプリング製造装置に入力しなければならないため、この点でもポケットコイルマットレスの製造を効率よく行うことができない。このように、ポケットコイルマットレスの製造を効率よく行うことができておらず、使用者に適合したポケットコイルマットレスを早期に提供できていないという問題がある。
【０００６】
本発明は、使用者に適合したポケットコイルマットレスを早期に提供することができるポケットコイルマットレスの製造方法を提案する。
【課題を解決するための手段】
【０００７】
本発明の一側面に係るポケットコイルマットレスの製造方法は、第１方向に並べられた複数のコイルスプリングから成る複数のコイルスプリング群が、第１方向に交差する第２方向に並べられて製造されるポケットコイルマットレスの製造方法であって、コイルスプリング群は、少なくとも１以上のコイルスプリングから成る複数の組を含んでおり、組のコイルスプリングの数を組ごとに設定する工程と、組ごとにコイルスプリングの硬さを設定する工程と、設定した硬さのコイルスプリングを鋼線から製造し、製造したコイルスプリングのそれぞれを布袋に収容して複数の布袋を接合することにより、コイルスプリング群を自動的に生成する工程と、複数のコイルスプリング群を第２方向に並べて互いに連結することにより、第１方向及び第２方向にコイルスプリングが配列されたコイルスプリング集合体を自動的に製造する工程と、を備える。
【０００８】
このポケットコイルマットレスの製造方法では、コイルスプリング群が複数の組を有し、組を構成するコイルスプリングの数と、組のコイルスプリングの硬さとを設定する。組ごとにコイルスプリングの数と硬さとを設定した後には、コイルスプリング群の生成とコイルスプリング集合体の製造とを自動的に行う。従って、組ごとにコイルスプリングの数と硬さとを設定すれば、コイルスプリング群の生成とコイルスプリング集合体の製造を自動的に行うことができるので、第１方向及び第２方向にコイルスプリングが配列されたコイルスプリング集合体の製造を容易に行うことができる。よって、ポケットコイルマットレスの製造を効率よく行うことができ、ポケットコイルマットレスを早期に提供することができる。また、このポケットコイルマットレスは、組のコイルスプリングの数を変更できると共に、組ごとにコイルスプリングの硬さを変えることもできる。よって、使用者の身体に応じてポケットコイルマットレスの硬さを変えることができるので、使用者に適合したポケットコイルマットレスを提供することができる。
【０００９】
また、第１方向はポケットコイルマットレスの長手方向であり、第２方向はポケットコイルマットレスの幅方向であってもよい。この場合、コイルスプリング群は長手方向に並べられた複数のコイルスプリングによって構成され、コイルスプリング群は幅方向に沿って並べられる。従って、ポケットコイルマットレスの長手方向の位置に応じてコイルスプリングの硬さを設定することができるので、使用者がポケットコイルマットレスに寝た場合における使用者の身体の部位に応じてコイルスプリングの硬さを設定できる。よって、使用者の身体に一層適合したポケットコイルマットレスを製造することができる。
【００１０】
また、コイルスプリング群を自動的に生成する工程と、コイルスプリング集合体を自動的に製造する工程との少なくとも一部は並行して実行されてもよい。この場合、コイルスプリング群の生成とコイルスプリング集合体の製造との少なくとも一部を並行して行うので、ポケットコイルマットレスの製造を一層効率よく行うことができる。
【発明の効果】
【００１１】
本発明によれば、使用者に適合したポケットコイルマットレスを早期に提供することができる。
【図面の簡単な説明】
【００１２】
【図１】実施形態に係るポケットコイルマットレスを示す斜視図である。
【図２】図１のポケットコイルマットレスのコイルスプリング集合体を示す平面図である。
【図３】図１のポケットコイルマットレスで用いられる複数種類のコイルスプリングを示す図である。
【図４】実施形態に係るポケットコイルマットレスの製造方法を示すフローチャートである。
【図５】使用者の身体データの取得器具を示す側面図である。
【図６】コイルスプリングの個数及びコイルスプリングの硬さを設定する設定装置を示す図である。
【図７】図７（ａ）はコイルスプリングの製造を模式的に示す図であり、図７（ｂ）は布袋へのコイルスプリングの収容と布袋の連結とを模式的に示す図である。
【図８】図１のポケットコイルマットレスのコイルスプリング群を示す側面図である。
【発明を実施するための形態】
【００１３】
以下、図面を参照しながらポケットコイルマットレスの製造方法の実施形態について説明する。以下の説明では、同一又は相当する要素には同一の符号を付し、重複する説明を省略する。
【００１４】
図１は、本実施形態に係るポケットコイルマットレス１の斜視図である。図２は、ポケットコイルマットレス１のコイルスプリングの配置を示す平面図である。図１及び図２に示されるように、ポケットコイルマットレス１は、第１方向Ｄ１及び第２方向Ｄ２に延在する直方体状を呈する。第１方向Ｄ１はポケットコイルマットレス１の長手方向であり、第２方向Ｄ２はポケットコイルマットレス１の幅方向である。以下では、第１方向Ｄ１及び第２方向Ｄ２に直交する方向（図２の紙面に直交する方向）を上下方向として説明する。
【００１５】
ポケットコイルマットレス１は、ポケットコイルマットレス１の表面を構成する外布２と、複数のコイルスプリング２０が縦横に連結されて形成されたコイルスプリング集合体１０とを備えている。コイルスプリング集合体１０は外布２に収容されている。コイルスプリング集合体１０は、第１方向Ｄ１及び第２方向Ｄ２に延びる長方形状であってコイルスプリング２０を囲んで保持する金属製の枠材を上下に備えている。
【００１６】
コイルスプリング集合体１０と外布２との間には、コイルスプリング集合体１０の上面及び下面のそれぞれを覆った状態で上記枠材に連結される網目状の内布と、コイルスプリング集合体１０の四側面を覆った状態でコイルスプリング集合体１０に連結される側面布と、内布の上面に位置する発泡ウレタン等の内容物と、が設けられている。但し、コイルスプリング集合体１０と外布２との間に設けられるものについては、上記に限定されず適宜変更可能である。
【００１７】
コイルスプリング集合体１０は、第１方向Ｄ１に並ぶコイルスプリング２０が連結されて形成された複数のコイルスプリング群１１を備える。コイルスプリング群１１は、コイルスプリング集合体１０の全体に亘って第１方向Ｄ１に延びている。コイルスプリング群１１は、第１方向Ｄ１に並べられた複数のコイルスプリング２０を有する。コイルスプリング群１１において各コイルスプリング２０は布袋２２（図７参照）に収容されており、コイルスプリング２０を収容する複数の布袋２２が超音波溶着で接合されることによってコイルスプリング群１１が形成されている。布袋２２は例えば不織布によって構成されている。
【００１８】
コイルスプリング２０は、布袋２２への収容前の高さが互いに異なる複数種類のコイルスプリングを含んでおり、本実施形態では図３に示されるように３種類のコイルスプリング２０Ａ，２０Ｂ，２０Ｃを含んでいる。３種類のコイルスプリング２０Ａ，２０Ｂ，２０Ｃのうち、コイルスプリング２０Ａが最も硬く、コイルスプリング２０Ｃが最も柔らかく、コイルスプリング２０Ｂはコイルスプリング２０Ａより柔らかく且つコイルスプリング２０Ｃよりも硬い。
【００１９】
コイルスプリング２０Ａ，２０Ｂ，２０Ｃは、例えば、互いに同一の鋼線から製造されており、その鋼線の長さも互いに同一である。コイルスプリング２０Ａ，２０Ｂ，２０Ｃは、布袋２２への収容前における巻きの角度が互いに異なっている。具体的には、コイルスプリング２０Ａの鋼線の巻きの角度が最も大きく、コイルスプリング２０Ｂの鋼線の巻きの角度が次に大きく、コイルスプリング２０Ｃの鋼線の巻きの角度が最も小さい。
【００２０】
これにより、布袋２２への収容前において、コイルスプリング２０Ａの高さが最も高く、コイルスプリング２０Ｂの高さが次に高く、コイルスプリング２０Ｃの高さが最も低い。そして、布袋２２に収容されたときに、コイルスプリング２０Ａが最も硬く、コイルスプリング２０Ｂが次に硬く、そしてコイルスプリング２０Ｃが最も柔らかくなる。また、コイルスプリング２０Ａ，２０Ｂ，２０Ｃの巻き径は互いに同一である。
【００２１】
上記のように、本実施形態では、コイルスプリング２０Ａ，２０Ｂ，２０Ｃを形成する鋼線、及びコイルスプリング２０Ａ，２０Ｂ，２０Ｃの巻き径が互いに同一であるため、互いに硬さが異なるコイルスプリング２０Ａ，２０Ｂ，２０Ｃを容易に製造することが可能である。また、図３では、コイルスプリング２０それぞれのピッチ（コイルスプリング２０の軸線方向の間隔）が等間隔である例を示しているが、コイルスプリング２０のピッチは等間隔でなくてもよい。例えば、コイルスプリング２０の軸線方向の一端側及び他端側のピッチが軸線方向中央部分のピッチより狭くてもよい。すなわち、軸線方向の一端から軸線方向の中央部分に向かうにつれてコイルスプリング２０のピッチが徐々に広くなると共に、軸線方向の中央部分から軸線方向の他端に向かうにつれてコイルスプリング２０のピッチが徐々に狭くなってもよい。これにより、軸線方向の一端及び他端においてコイルスプリング２０の間隔が狭くなるので、コイルスプリング２０を布袋２２に収容したときに布袋２２を一層破れにくくすることができる。
【００２２】
また、図２に示されるように、コイルスプリング群１１は、複数の組を有しており、本実施形態では、例えば５分割された５つの組Ａ１〜Ａ５を有する。各組Ａ１〜Ａ５は少なくとも１以上のコイルスプリング２０によって構成される。組Ａ１〜Ａ５のそれぞれには、コイルスプリング２０Ａ，２０Ｂ，２０Ｃのうち、互いに同一種類のコイルスプリング２０Ａ，２０Ｂ，２０Ｃが配置される。これにより、例えば、組Ａ１及び組Ａ５には中程度の硬さのコイルスプリング２０Ｂ、組Ａ２及び組Ａ４には柔らかめのコイルスプリング２０Ｃ、組Ａ３には硬めのコイルスプリング２０Ａ、がそれぞれ配置されている。
【００２３】
このようにコイルスプリング２０Ａ，２０Ｂ，２０Ｃの配置を行うことにより、例えば、コイルスプリング集合体１０のうち、組Ａ１を成す５×１３の領域及び組Ａ５を成す８×１３の領域には中程度の硬さのコイルスプリング２０Ｂが配置され、組Ａ２を成す５×１３の領域及び組Ａ４を成す５×１３の領域には柔らかいコイルスプリング２０Ｃが配置され、組Ａ３を成す７×１３の領域には硬いコイルスプリング２０Ａが配置されている。
【００２４】
以上のように構成される複数のコイルスプリング群１１は、第２方向Ｄ２に並べられており、例えば接着剤によって互いに接着されている。このように複数のコイルスプリング群１１が接着されることによってコイルスプリング集合体１０が形成されている。
【００２５】
次に、ポケットコイルマットレス１の製造方法について図４のフローチャートを参照しながら説明する。図４のフローチャートは、ポケットコイルマットレス１の製造方法の一一例を示している。
【００２６】
まず、ポケットコイルマットレス１を使用する使用者Ｎのデータ取得を行う工程を実行する（ステップＳ１）。ステップＳ１では、例えば図５に示されるように、使用者Ｎの身長Ｈ１、使用者Ｎの腰骨の高さＨ２、及び、使用者Ｎの脚の付け根（臀部の下端）の高さＨ３を測定する。図５において、長さＬはポケットコイルマットレス１の第１方向Ｄ１の長さ（使用者Ｎの身体が延びる方向の長さ）を示している。
【００２７】
このように身長Ｈ１及び高さＨ２，Ｈ３を測定した後には、これらの値から、ポケットコイルマットレス１の長さと使用者Ｎの身長との差Ｂ１、使用者Ｎの頭頂部から使用者Ｎの腰骨までの長さＢ２、及び、使用者Ｎの臀部の長さ（高さ）Ｂ３、を算出する。そして、算出した各値から、組Ａ１〜Ａ５の長さを算出する。
【００２８】
組Ａ１〜Ａ５の長さを算出する具体的な方法は、長さＬを１９５ｃｍ、身長Ｈ１を１６０ｃｍ、高さＨ２を１００ｃｍ、高さＨ３を７０ｃｍとすると、下端に足の領域を２５ｃｍ足して、Ｈ１を１８５ｃｍ、Ｈ２を１２５ｃｍ、Ｈ３を９５ｃｍとする。そして、長さＬとＨ１との差１０ｃｍを組Ａ１の長さ、Ｈ１とＨ２との差６０ｃｍを組Ａ２の長さ、Ｈ２とＨ３との差３０ｃｍを組Ａ３の長さ、Ｈ３と足の領域との差７０ｃｍを組Ａ４の長さ、足の領域２５ｃｍを組Ａ５の長さ、とする。
【００２９】
以上のように組Ａ１〜Ａ５の長さを算出した後には、例えば図６に示される設定装置３０を用いて、組Ａ１〜Ａ５それぞれの長さに相当する組Ａ１〜Ａ５それぞれのコイルスプリング２０の個数を設定する（ステップＳ２）。そして、組Ａ１〜Ａ５で用いるコイルスプリング２０の硬さ（コイルスプリング２０Ａ，２０Ｂ，２０Ｃのどれを配置するか）を設定する（ステップＳ３）。
【００３０】
設定装置３０は、組Ａ１〜Ａ５それぞれのコイルスプリング２０の数を設定するチェックボックス３１ａ〜３１ｄと、コイルスプリング２０の硬さを選択する硬さ選択ボタン３２ａ〜３２ｅと、コイルスプリング２０の製造を開始する製造開始ボタン３３と、コイルスプリング２０の製造を中止する製造中止ボタン３４とを備えている。なお、設定装置３０の画面のレイアウト、並びに、組Ａ１〜Ａ５のコイルスプリング２０の数及び組Ａ１〜Ａ５のコイルスプリング２０の硬さを設定する手段については、図６の例に限定されず適宜変更可能である。
【００３１】
例えば、チェックボックス３１ａには組Ａ１のコイルスプリング２０の数、チェックボックス３１ｂには組Ａ１，Ａ２のコイルスプリング２０の数の和、チェックボックス３１ｃには組Ａ１〜Ａ３のコイルスプリング２０の数の和、チェックボックス３１ｄには組Ａ１〜Ａ４のコイルスプリング２０の数の和、をそれぞれ入力する。そして、硬さ選択ボタン３２ａ〜３２ｅのそれぞれにおいて、組Ａ１〜Ａ５を成すコイルスプリング２０の硬さを三段階（硬い、普通、柔らかい）から選択する。
【００３２】
このように、組Ａ１〜Ａ５それぞれのコイルスプリング２０の数と硬さとを設定した後には、製造開始ボタン３３を押してコイルスプリング２０の製造を開始して、コイルスプリング群１１を生成する（ステップＳ４）。ステップＳ４及び次のステップＳ５の工程はコイルスプリング製造装置によって自動的に実行される。
【００３３】
ステップＳ４では、図７（ａ）に示されるように、鋼線Ｍを引っ張り出して鋼線Ｍを切断して螺旋状にすることにより、設定装置３０で設定した硬さのコイルスプリング２０Ａ，２０Ｂ，２０Ｃを順次製造する。図６で設定した例の場合、硬いコイルスプリング２０Ａを３個製造し、次に柔らかいコイルスプリング２０Ｃを７個製造し、続いて硬いコイルスプリング２０Ａを８個製造し、更に柔らかいコイルスプリング２０Ｃを７個製造し、最後に硬いコイルスプリング２０Ａを５個製造する。
【００３４】
このように、設定装置３０で設定した硬さのコイルスプリング２０Ａ，２０Ｂ，２０Ｃを順次製造した後には、図７（ｂ）に示されるように、製造したコイルスプリング２０Ａ，２０Ｂ，２０Ｃを順次布袋２２に押し込んで収容する。このとき、超音波熱溶着によって布袋２２を封止すると共に複数の布袋２２を接合して連結する。
【００３５】
そして、図８に示されるように、複数の布袋２２を接合してコイルスプリング群１１を完成させた後には、コイルスプリング集合体１０を製造する工程（ステップＳ５）に移行する。このステップＳ５は、ステップＳ４を実行しながらステップＳ４と並行して行う。すなわち、コイルスプリング群１１の生成と、コイルスプリング集合体１０の製造との少なくとも一部が並行して行われる。
【００３６】
ステップＳ５では、図２に示されるように、第１方向Ｄ１に延びる複数のコイルスプリング群１１を第２方向Ｄ２に並べて、接着剤をコイルスプリング群１１に塗布して、複数のコイルスプリング群１１を順次接合させていく。そして、全てのコイルスプリング群１１を接合した時点でコイルスプリング集合体１０が完成する。
【００３７】
コイルスプリング集合体１０を製造した後には、コイルスプリング集合体１０を所定の枠に入れ込み安定させた状態としてコイルスプリング集合体１０に枠材をビスで装着させる。そして、コイルスプリング集合体１０の上面及び下面のそれぞれに網目状の内布を取り付け、内布の上面に内容物を乗せると共にコイルスプリング集合体１０の四側面を側面布で囲んでコイルスプリング集合体１０の側面に側面布をビスで固定させる。
【００３８】
その後、例えば、専用の縫込み装置で外布２を縫い込んでいくことによって（ステップＳ６）、ポケットコイルマットレス１を完成させる。ポケットコイルマットレス１を完成させた後には、検査及び包装済みのポケットコイルマットレス１を保管庫に保管し、その後、ポケットコイルマットレス１を保管庫から出荷及び搬送して一連の工程が終了する。
【００３９】
次に、本実施形態に係るポケットコイルマットレス１の製造方法から得られる効果について説明する。
【００４０】
本実施形態に係るポケットコイルマットレス１の製造方法では、コイルスプリング集合体１０が複数の組Ａ１〜Ａ５を有し、組Ａ１〜Ａ５を構成するコイルスプリング２０の数と、組Ａ１〜Ａ５のコイルスプリング２０の硬さとを設定する。組Ａ１〜Ａ５ごとにコイルスプリング２０の数と硬さとを設定した後には、コイルスプリング群１１の生成とコイルスプリング集合体１０の製造とを自動的に行う。従って、組Ａ１〜Ａ５ごとにコイルスプリング２０の数と硬さとを設定すれば、コイルスプリング群１１の生成とコイルスプリング集合体１０の製造を自動的に行うことができるので、第１方向Ｄ１及び第２方向Ｄ２にコイルスプリング２０が配列されたコイルスプリング集合体１０の製造を容易に行うことができる。よって、ポケットコイルマットレス１の製造を効率よく行うことができ、ポケットコイルマットレス１を早期に提供することができる。
【００４１】
また、ポケットコイルマットレス１は、組Ａ１〜Ａ５のコイルスプリング２０の数（組Ａ１〜Ａ５の領域の長さ）を変更できると共に、組Ａ１〜Ａ５ごとにコイルスプリング２０の硬さを変えることもできる。よって、使用者Ｎの身体に応じてポケットコイルマットレス１の硬さを変えることができるので、使用者Ｎに適合したポケットコイルマットレス１を早期に提供することができる。
【００４２】
また、第１方向Ｄ１はポケットコイルマットレス１の長手方向であり、第２方向Ｄ２はポケットコイルマットレス１の幅方向である。よって、コイルスプリング群１１は長手方向に並べられた複数のコイルスプリング２０によって構成され、コイルスプリング群１１は幅方向に沿って並べられる。従って、ポケットコイルマットレス１の長手方向の位置に応じてコイルスプリング２０の硬さを設定することができるので、使用者Ｎがポケットコイルマットレス１に寝た場合における使用者Ｎの身体の部位に応じてコイルスプリング２０の硬さを設定できる。よって、使用者Ｎの身体に一層適合したポケットコイルマットレス１を製造することができる。
【００４３】
また、コイルスプリング群１１を自動的に生成する工程と、コイルスプリング集合体１０を自動的に製造する工程との少なくとも一部は並行して実行される。従って、コイルスプリング群１１の生成とコイルスプリング集合体１０の製造とを並行して行うので、ポケットコイルマットレス１の製造を一層効率よく行うことができる。
【００４４】
また、本実施形態に係るポケットコイルマットレス１の製造方法では、使用者Ｎの身長、腰骨の位置、及び臀部の高さを測定し、その結果から組Ａ１〜Ａ５を構成するコイルスプリング２０の数と、組Ａ１〜Ａ５のコイルスプリング２０の硬さとを設定する。従って、使用者Ｎの身体の状況に応じたポケットコイルマットレス１を効率よく製造できるので、ポケットコイルマットレス１のオーダーメイド化を推進させることができる。
【００４５】
また、設定装置３０によって組Ａ１〜Ａ５のコイルスプリング２０の硬さを設定した後に、自動的にコイルスプリング集合体１０を製造するので、一層早くポケットコイルマットレス１を製造することができる。従って、ポケットコイルマットレス１のオーダーメイドを行うにあたり、使用者Ｎに適合したポケットコイルマットレス１を早期に納品することができるので、ポケットコイルマットレス１の使用者Ｎの満足感を高めることもできる。
【００４６】
以上、本発明の実施形態について説明したが、本発明は、前述した実施形態に限定されることなく、請求項に記載した要旨を変更しない範囲において変形してもよい。すなわち、本発明は、特許請求の範囲に記載した要旨を変更しない範囲で種々の変形が可能である。
【００４７】
例えば、前述の実施形態では、５つの組Ａ１〜Ａ５を有する例について説明したが、組の数は、５つに限定されず適宜変更可能である。また、ポケットコイルマットレスに配置するコイルスプリング２０の数及び配置態様についても、前述した例に限定されず適宜変更可能である。更に、前述の実施形態では、コイルスプリング２０の硬さの種類が３種類である例について説明したが、２種類又は４種類以上のコイルスプリング２０を備えていてもよい。
【００４８】
また、前述の実施形態では、身長Ｈ１及び高さＨ２，Ｈ３の測定結果から組Ａ１〜Ａ５の長さを算出し、その算出結果に基づいて組Ａ１〜Ａ５それぞれのコイルスプリング２０の数と硬さとを設定する例について説明した。しかしながら、この例に限られず、身長Ｈ１及び高さＨ２，Ｈ３の測定結果から自動的にコイルスプリング２０の数と硬さとを設定してもよい。
【００４９】
また、前述の実施形態では、第１方向Ｄ１がポケットコイルマットレス１の長手方向であり、第２方向Ｄ２がポケットコイルマットレス１の幅方向である例について説明した。ここで、第１方向及び第２方向は、互いに直交していなくてもよい。また、例えば、第１方向がポケットコイルマットレスの幅方向、第２方向がポケットコイルマットレスの長手方向であってもよい。
【符号の説明】
【００５０】
１…ポケットコイルマットレス、２…外布、１０…コイルスプリング集合体、１１…コイルスプリング群、２０，２０Ａ，２０Ｂ，２０Ｃ…コイルスプリング、２２…布袋、３０…設定装置、３１ａ，３１ｂ，３１ｃ，３１ｄ…チェックボックス、３２ａ，３２ｂ，３２ｃ，３２ｄ，３２ｅ…硬さ選択ボタン、３３…製造開始ボタン、３４…製造中止ボタン、Ａ１，Ａ２，Ａ３，Ａ４，Ａ５…組、Ｂ１…差、Ｂ２，Ｂ３…長さ、Ｄ１…第１方向、Ｄ２…第２方向、Ｈ１…身長、Ｈ２，Ｈ３…高さ、Ｍ…鋼線、Ｎ…使用者。
【図１】
2017202025.tif 000003
【図２】
2017202025.tif 000004
【図３】
2017202025.tif 000005
【図４】
2017202025.tif 000006
【図５】
2017202025.tif 000007
【図６】
2017202025.tif 000008
【図７】
2017202025.tif 000009
【図８】
2017202025.tif 000010